(57)【要約】【課題】機枠に対する前面枠の取付けが容易にでき、しかも構造が簡単で製作コストを安くできるような遊技機における前面枠のヒンジ構造を提供する。【解決手段】機枠１の一側に前面枠２の一側を支軸２３と軸孔２６との係合によりヒンジすることで該前面枠２を開閉可能に支持した遊技機における前面枠２のヒンジ構造であって、前記前面枠２または機枠１のいずれか一方に支軸２３または軸孔２６を設け、他方には前記支軸２３または軸孔２６が係合し得る軸孔２６または支軸２３を形成した軸受片２５を上下方向に変位自在に設け、前記軸受片２５が下方変位した状態で前記支軸２３と軸孔２６とが係合するようにした。【選択図】　図３
2004008265.tif 000002
【特許請求の範囲】
【請求項１】
機枠の一側に前面枠の一側を支軸と軸孔との係合によりヒンジすることで該前面枠を開閉可能に支持した遊技機における前面枠のヒンジ構造であって、
前記前面枠または機枠のいずれか一方に支軸または軸孔を設け、他方には前記支軸または軸孔が係合し得る軸孔または支軸を形成した軸受片を上下方向に変位自在に設け、前記軸受片が下方変位した状態で前記支軸と軸孔とが係合するようにしたことを特徴とする遊技機における前面枠のヒンジ構造。
【請求項２】
前記支軸と軸孔とを係合する際に前記軸受片を上方に変位させるガイド手段を設けたことを特徴とする請求項１記載の遊技機における前面枠のヒンジ構造。
【請求項３】
前面枠を閉鎖した状態で前記軸受片の上方への変位を阻止する阻止手段を設けたことを特徴とする請求項１または２記載の遊技機における前面枠のヒンジ構造。
【発明の詳細な説明】
【０００１】
【発明の属する技術分野】
本発明は、装着本体に対して開閉体を容易に軸支し得るようにしたヒンジ構造であり、特に遊技機における前面枠のヒンジ構造に関するものである。
【０００２】
【従来の技術】
従来、遊技機として例えばパチンコ遊技機においては、各種遊技機器の点検や修理のため機枠に対して前面枠がヒンジ部により開閉可能に軸支されている。また必要に応じて機枠から前面枠を取り外せるように係脱自在に軸支されている。
【０００３】
ところで、従来の前面枠のヒンジ構造は、例えば機枠の下部固定金具に下ヒンジ軸を上向きに突設すると共に、上部固定金具に軸孔を設け、一方、前面枠の下部可動金具に軸孔を設けると共に、上部可動金具に上ヒンジ軸を下向きに突設し、前面枠を上方へ持ち上げながら上下のヒンジ軸をそれぞれの軸孔に同時的に嵌め合わせることにより、前面枠を開閉可能に軸支するように構成されていた。
【０００４】
しかし、このようなヒンジ構造では、前面枠の重量を支えながら上下のヒンジ軸と軸孔とをほぼ同時に一致させなければならず、その作業を一人で行うには非常に困難であるばかりか危険を伴うものであった。
【０００５】
このため、最近では機枠に対して前面枠を容易に組付けることができるようにこれまで種々のヒンジ構造が提案されている。その一例として例えば特開平９−４７５５５号公報に開示されるように前枠の上部蝶着部の上面に上支軸を上向きに突設し、外枠の上部蝶着部の下面に左右方向に軸係入口を有する軸受部材を固定的に設け、前枠の上支軸を軸係入口から軸受部材の軸承部に嵌入させるようにすると共に、ばね付勢されたロック部材で軸係入口を閉ざすことにより、前枠を開閉可能に軸支するように構成されたものが知られている。
【０００６】
【発明が解決しようとする課題】
上記した前面枠のヒンジ構造は、前面枠の重量を支えた状態で上下のヒンジ軸を軸孔に同時的に嵌め合わせる必要のある一般的なヒンジ構造と比較した場合、前面枠の重量を支えた状態での組付け作業が回避できて体力面或いは安全面で有利性があるものの、ロック部材やばね等の細かな部品を必要としているため構成部品が多くなり構造が複雑となって製作コストが高くつくという問題点があった。
【０００７】
本発明は上記のような問題点に鑑みてなされたもので、その目的とするところは、一般的な前面枠のヒンジ構造の有する問題点を解決すると共に、機枠に対する前面枠の取付け取外しが容易かつ安全にでき、しかも構造が簡単で製作コストの安い遊技機のヒンジ構造を提供しようとするものである。
【０００８】
【課題を解決するための手段】
上記した目的を達成するために、請求項１記載の発明は、機枠の一側に前面枠の一側を支軸と軸孔との係合によりヒンジすることで該前面枠を開閉可能に支持した遊技機における前面枠のヒンジ構造であって、前記前面枠または機枠のいずれか一方に支軸または軸孔を設け、他方には前記支軸または軸孔が係合し得る軸孔または支軸を形成した軸受片を上下方向に変位自在に設け、前記軸受片が下方変位した状態で前記支軸と軸孔とが係合するようにしたことを特徴とする。前記軸受片は前面枠または機枠のどちらか一方に設けられ、前記前面枠を開放した状態で水平移動して軸受片を上動させることにより前記支軸と前記軸孔とを係合することができる。好ましくは、軸受片が自重で下方変位しやすいように重錘等を設けるようにしてもよい。
【０００９】
請求項２記載の発明は、請求項１記載の発明において、前記支軸と軸孔とを係合する際に前記軸受片を上方に変位させるガイド手段を設けたことを特徴とし、前面枠の軸支作業をより一層容易にすることが可能となる。前記ガイド手段は、前記軸受片または支軸に設けるのが好ましい。
【００１０】
前記ガイド手段は、例えば前記軸受片の先端を僅かに上方に屈曲して形成した屈曲片状の誘導部であり、支軸との接触により軸受片を上方に変位するようにした。また、前記ガイド手段は、支軸の先端部にテーパー状のガイド面を形成し、前記軸受片が該テーパー状のガイド面に接触することにより該軸受片を上方に変位するようにしてもよい。なお、別途ガイド手段となる突起または窪部等を設けるようにしてもよく、軸受片と接触することにより該軸受片を上方に変位させるようにすればよい。また、機枠または前面枠の一部が軸受片と接触することにより該軸受片を上方に変位させるようにしてもよい。
【００１１】
請求項３記載の発明は、請求項１または２記載の発明において、前面枠を閉鎖した状態で前記軸受片の上方への変位を阻止する阻止手段を設けたことを特徴とし、軸受片の下方変位状態を維持することから悪戯および不正目的でヒンジの係合を解除されることがない。しかも、阻止手段により強制的に支軸と軸孔とを係合させることができるので係合の不具合もなくなる。
【００１２】
前記阻止手段は、例えば前面枠を閉鎖したときに前記軸受片の上方に臨むように設けた上動阻止片である。なお、前記軸受片に前記上動阻止片の下方に臨む押え片を別途設けるようにしてもよい。また、阻止手段として軸受片に垂下した押え片を直接前面枠または機枠で押圧するようにしてもよい。
【００１３】
なお、本発明でいう「支軸」とは、開閉体である前面枠を装着本体である機枠に対して回動自在に軸支する回動軸である。したがって、形状および長さに限定されるものではなく、多角形であっても片状であってもよい。なお、このとき当然支軸と係合する軸孔は円孔であるのが好ましい。また、ここでいう「上下方向に変位自在」とは上下方向に可動し得ることを意味し、ガイド枠またはガイド溝により上動自在としてもよく、当然上動軸を中心に上動自在としてもよい。このとき前記上動軸の設置方向は限定されるものではなく垂直方向であっても水平方向であってもよい。
【００１４】
前記軸受片の上動範囲（変位差）を他方のヒンジ部のヒンジ軸の長さより小さく設定するのが好ましく、前面枠を誤って上動しても軸受片の上動範囲よりヒンジ軸の長さが長いためヒンジ部の連繋が解除されることがなく、前面枠が外れて怪我をしたり前面枠を傷をつけたりすることがない。
【００１５】
また、前記支軸を軸孔へ導く誘導手段を設けるのが好ましい。前記誘導手段は、前記軸受片の装着側に設けられ該軸受片と重合すると共に、前記軸受片に設けられた軸孔と合致し縁部に向って開口する切込孔を形成したガイド片であり、前記支軸を開口から切込孔に沿って押し込むことで支軸を軸孔に係合することができる。また、前記誘導手段は軸受片の下面に形成され、軸孔に連通する凹溝である。
【００１６】
上記発明によれば、支軸または軸孔を形成した軸受片を上下方向に変位自在に設けているので、前面枠を開放した状態で水平移動して、軸受片のみを上動させ支軸を軸孔に挿入するだけの簡単な作業で、前面枠を機枠に開閉自在に軸支することが可能となる。
【００１７】
なお、本発明のヒンジ構造は少なくとも上下ヒンジ部のいずれか一方に設けるようにすればよく、上下両方に設けるようにしてもよい。
【００１８】
【発明の実施の形態】
次に、本発明に係わる遊技機のヒンジ構造を、パチンコ遊技機における前面枠を実施の形態として図面を参照して説明する。図１はパチンコ遊技機の正面図、図２は前面枠を開放して示すパチンコ遊技機の斜視図、図３は機枠と前面枠の上部の軸支状態を示す斜視図である。図において１は装着本体としてのパチンコ遊技機の機枠、２は機枠１の前面に上下ヒンジ部３ａ，３ｂを介して開閉自在に設けられる開閉体としての前面枠である。前記前面枠２の裏面には遊技盤取付枠４を介して遊技盤５が着脱自在に取付けられ、前面枠２の前面には前記遊技盤５を視認可能とするガラス扉枠６およびその下方に前面板７が開閉自在に装着されており、該前面板７の前面に打球供給皿８が取付けられている。また、前面枠２の下部には前記打球供給皿８から溢出するパチンコ球を貯留する余剰球受皿９およびパチンコ球の弾発力を調節する操作ハンドル１０が設けられている。なお、本実施の形態では機枠１および前面枠２は合成樹脂により形成されており、前面枠２には遊技盤取付枠４が一体に形成されている。
【００１９】
前記前面枠２の裏面には前記遊技盤５の後面に位置し、前記前面枠２を装着本体として合成樹脂により方形状に形成された開閉体としての機構板１１が上下ヒンジ具１２，１２により着脱開閉可能に装着されている。前記機構板１１のほぼ中央には窓孔１８が形成され、該窓孔１８の上部には球タンク１３が固着されており、該球タンク１３の下方にはタンクレール１４が設けられている。また、タンクレール１４の下流端は屈曲レール１５を介して球払出装置１６に接続されており、該球払出装置１６の下方には払出されたパチンコ球を前記打球供給皿８に導く排出樋１７が設けられている。
【００２０】
また、前記機枠１は方形枠状に形成され、外側の上部隅角部に補強金具として上部固定金具１９が固着されている。前記上部固定金具１９は金属板をＬ字形に屈曲させて形成し、その水平板部２０を機枠１の上面に沿わせ、他方の垂直板部２１を機枠１の外側面に沿わせてそれぞれビス２２により固定している。
【００２１】
そして、上ヒンジ部３ａは、図３および図４に示すように前面枠２の上部前面に形成された突出部に上向きに一体に突設されヒンジ軸となる支軸２３と、該支軸２３が係合し得る角状の軸孔２６が形成される軸受片２５とで構成される。なお、軸孔２６は当然のことながら前記支軸２３に合致する円孔であってもよい。前記軸受片２５は、前記機枠１の前方に突出するように前記水平板部２０の上方に突出して設けられる上動軸２４に鉛直面内で上下方向に変位自在に軸支されている。前記上動軸２４は、図４に示すように中心にビス孔２９を穿設しかつ前記軸受片２５が上動し得る軸部３０を有し、上端に前記軸受片２５の抜け止めおよび上動を規制する鍔部３１を形成している。
【００２２】
また、ヒンジ部３ａの連繋をしやすくする誘導手段として前記水平板部２０に前記軸受片２５と重合するガイド片２７を突設し、該ガイド片２７に前記軸孔２６と合致し前方に拡開開口した切込孔２８を形成している。また、前記軸受片２５には、前記上動軸２４の挿通孔３２が形成されており、該挿通孔３２は前記上動軸２４の軸部３０より僅かに大径としている。また、前記軸受片２５の前端を僅かに上方に屈曲してガイド手段としての誘導部３９を形成しており、さらに両側に前記ガイド片２７を挟み込むように規制片３４，３４を垂設して、軸受片２５の水平面内の回動を防止するようにしている。３３は前面枠２に設けられた阻止手段としての上動阻止片であり、前面枠２を閉鎖した時に前記軸受片２５の上方に位置して前記軸受片２５の上動を阻止し、軸受片２５の下動状態を維持して軸孔２６と支軸２３の係合が外れないようにするためのものである。なお、前記ガイド手段は軸受片２５の前端を僅かに上方に屈曲して誘導部３９としたが、軸受片２５の前端下面を傾斜面として形成してもよい。
【００２３】
前記軸受片２５は、前記上動軸２４の軸部３０を挿通孔３２に挿通し前記ガイド片２７と重合するように上動軸２４を機枠１にビスＳ着することで、鍔部３１で抜け止めされると共に規制片３４，３４により水平面内の回動を阻止され、常には自重により下方に位置して軸部３０に上動自在に装着される。このときガイド片２７の切込孔２８の奥端は前記軸孔２６と合致している。なお、前記軸孔２６は当然のことながら支軸２３に合致する円孔であってもよい。また、前記軸受片２５は、合成樹脂により成形しても金属により形成してもよく、常には自重により下方に位置するようにすればよい。
【００２４】
なお、前記上動軸２４の取着手段はビスＳ着に限定されることなく、軸部３０の先端部から中央部にかけてスリットを設けて弾性付与した１または２以上の脚片を形成し、該脚片の先端に係止爪を設けるようにしてもよい。そして、前記弾性付与した脚片を前記軸受片２５の挿通孔３２に挿通し、機枠１の上板を貫通して前記係止爪を上板裏面に係止させることにより、前記軸受片２５を鉛直面内で上動自在にワンタッチで取着することができる。なお、軸受片２５を上動軸２４により上動自在としたが、ガイド枠またはガイド溝により上動自在としてもよい。
【００２５】
一方、下ヒンジ部３ｂは、図５に示すように機枠１の下部に固着された下部固定金具３５の上面に突設されたヒンジ軸３６と、前面枠２の下部に固着された下部可動金具３７に穿設された軸孔３８とで構成されている。前記ヒンジ軸３６の先端は前記軸孔３８に挿通し易いように先細状となっており、該ヒンジ軸３６の長さは前記支軸２３よりも長く設定されている。なお、下ヒンジ部３ｂは組合せを逆にしてもよく、前記下部固定金具３５に軸孔３８を穿設して、前記下部可動金具３７下面にヒンジ軸３６に垂設するようにして、該ヒンジ軸３６を軸孔３８に係合させるようにすればよい。また、前記前面枠２の側端後面は、前面枠２が前記支軸２３およびヒンジ軸３６を回転軸として回動し得るようにテーパー状に切り欠いている。
【００２６】
本発明に係るヒンジ構造は上記のように構成されるもので、機枠１に前面枠２を軸支するには、先ず図５に示すように下部可動金具３７の軸孔３８を下部固定金具３５のヒンジ軸３６の上方から嵌合させて下ヒンジ部３ｂを連係し前面枠２の下部を機枠１に支持させる。この状態で、図８（ａ）実線および図９（ａ）実線のように前面枠２を機枠１に対し任意の角度に開放した状態で、同図鎖線に示すように前面枠２を水平移動して前記支軸２３をガイド片２７の切込孔２８の開口に位置させると共に軸受片２５の誘導部３９に当接させて上動軸２４方向に押圧移動する。すると、図９（ａ）鎖線に示すように前記支軸２３が軸受片２５の誘導部３９を押すことにより、規制片３４，３４により水平方向の回動を阻止された状態で上動し、支軸２３が切込孔２８に沿って移動して軸孔２６に導かれる。そして、図８（ｂ）および図９（ｂ）に示すように軸受片２５は支軸２３との接触を解かれると自重で下動し、軸孔２６が支軸２３に嵌挿して上ヒンジ部３ａが連繋し、支軸２３およびヒンジ軸３６を支点として前面枠２が機枠１に開閉自在に軸支される。このときガイド手段（誘導部３９）により軸受片２５を上動させるようにしているために前面枠２を両手で支えて水平移動させることができ、安全で確実な操作で機枠１にワンタッチで装着できる。
【００２７】
また、前面枠２を図８（ｂ）矢印方向（閉鎖方向）に回動すると、図６および７に示すように前記上動阻止片３３が前記軸受片２５の一部上方に臨むように位置して重合し、該軸受片２５の抜脱方向である上動を阻止し軸受片２５が下方変位した状態を維持する。このため、係合した軸受片２５の軸孔２６が支軸２３から無用に外れることはない。なお、前記軸受片２５が自重でうまく下方変位しなかった場合でも、前記上動阻止片３３により軸受片２５を強制的に下動させて軸孔２６と支軸２３とを係合させることができ不具合を解消することができる。このとき上動阻止片３３下面をテーパー状に形成し、軸受片２５を押さえ込みやすくするのが好ましい。
【００２８】
また、前面枠２を開放した際に、誤って前面枠２を上動するようなことがあっても前面枠２がガイド片２７の下面に衝止するのみでヒンジ部３ａの支軸２３と軸孔２６との連繋が無用に外れることはなく、確実に前面枠２を開閉動作することができる。
【００２９】
また、前面枠２を機枠１から取外すには、前面枠２を機枠１に対して任意の角度（図８（ｂ）に示す前記上動阻止片３３が前記軸受片２５に重合しない角度）に開放し、その開放状態を維持しながら指で軸受片２５を上動させて支軸２３と軸孔２６との係合を解除する。そして、支軸２３を切込孔２８に沿って水平移動させることによってヒンジ部３ａの連繋を解除して前面枠２を簡単に取外すことができる。
【００３０】
このように、軸孔２６を備えた軸受片２５を上動自在に設けるようにしたので、前面枠２を機枠１に装着する際に支軸２３を軸受片２５めがけて水平移動させるだけの簡単な操作で軸孔２６に係合して軸支することができ、前面枠２の機枠１への組付け作業の効率が大幅にアップする。また、前面枠２を閉鎖した状態で上ヒンジ部３ａの軸受片２５が露出していても前記上動阻止片３３が前記軸受片２５の一部に重合位置して該軸受片２５の上動を阻止しており、遊技者は軸受片２５を上動させることができないため、悪戯または不正目的で前面枠２を外されるようなことはない。
【００３１】
なお、前記誘導部３９を軸受片２５の前方先端に設けるようにしたが、機枠１の前方に突出する軸受片２５の側方に設けるようにしてもよく、これに伴い前記ガイド片２７の切込孔２８も同じ側方に開口するように開設すればよい。また、前記ガイド片２７を前記軸受片２５と一体的に形成し、上下方向に変位自在に設けるようにしてもよく、前面枠２を開放した際に誤って前面枠２を上動するようなことがあっても、支軸２３と共に軸受片２５が上動するのみでヒンジ部３ａの連繋が外れることはなく、確実に前面枠２を開閉動作することができる。さらに、ガイド手段として前記支軸２３の上部をテーパ−状のガイド面として形成して前記軸受片２５と接触することにより該軸受片２５を上動させるようにしてもよい。このとき軸受片２５に前記誘導部３９は設けなくてもよい。なお、ガイド手段は必ずしも設けなければならないものではなく、支軸２３と軸孔２６の係合時に手で軸受片２５を操作して持ち上げ係合させるようにしてもよい。
【００３２】
上記実施の形態において前記軸受片２５の上動軸２４を垂直方向に突設したものとしたが、上動軸２４を水平軸として軸受片２５を上動自在に軸支するようにしてもよいのはいうまでもない。図１０乃至図１５に軸受片２５を水平軸により上動自在に軸支した実施の形態を示す。なお、前記実施の形態と同じ構成要素には同一符号を付して説明する。この実施の形態において軸受片２５は機枠１の角部に沿ったＬ字状に形成され、Ｌ字状の一片２５ａに上動軸である筒状軸４２を挿通する挿通孔３２が形成され、他側片２５ｂには機枠１の前方に突出する突片４３が形成されると共に機枠１の前面に沿うように垂下した押え片４０が形成されている。前記突片４３には機枠１を拡大した仮想平面に対して直交方向（前後方向）に延びる長孔状の軸孔２６が穿設され、前記支軸２３を軸孔２６に誘導する誘導手段として前記突片２５ｂの下面に前端から前記軸孔２６に連通する凹溝４１を形成している。また、前記押え片４０は前記実施の形態における阻止手段としての上動阻止片３３の役割をなし、前面枠２を閉鎖した時に前記押え片４０が前面枠２により押圧されて軸受片２５の上動が阻止され該軸受片２５の下方変位した状態を維持する。
【００３３】
前記軸受片２５は前記挿通孔３２に筒状軸４２を挿通し、前記溝部１ａの下方に位置して機枠１の側板を貫通してＥリングにより抜け止めして、該筒状軸４２を支点として上下方向に回動自在に取着される。このとき、軸受片２５の上動範囲は機枠１に段状に彫設された溝部１ａによって規制される。一方、前面枠２側に設けられる支軸２３は、上部にテーパー状のガイド面２３ａが形成され前記軸受片２５を上動しやすくするガイド手段としている。なお、前記支軸２３はヒンジ軸３６より短く設定されると共に、軸受片２５の上動範囲もヒンジ軸３６の長さより小さく設定される。また、機枠１に溝部１ａを形成することなく、図１６に示すように上部固定金具１９の水平板部２０に切り溝１９ａを設けて該切り溝１９ａの下方に位置して軸受片２５を軸着し上動自在とするようにしてもよい。
【００３４】
上記構成の上ヒンジ部３ａにより前面枠２を機枠１に軸支するには、前記実施の形態と同様に先ず下ヒンジ部３ｂのヒンジ軸３６と軸孔３８とを連繋する。次に図１４（ａ）および図１５（ｂ）に示すように前面枠２を機枠１に対し任意の角度に開放した状態で、前記支軸２３を前記突片２５ｂの下面に形成された凹溝４１に臨ませて、支軸２３のテーパー状のガイド面２３ａが突片２５ｂに接触することにより図１５（ｂ）に示すように軸受片２５が前記筒状軸４２を支点として上動する。そして、図１４（ｂ）に示すように支軸２３が凹溝４１により長孔状の軸孔２６に誘導されて支軸２３と軸孔２６とが係合すると同時に軸受片２５が自重により下方変位して、前面枠２が機枠１に対して回動自在に軸支される。このとき軸孔２６が長孔状に形成されていることから、支軸２３が長孔の奥方に入り込んだ状態で確実に軸受片２５が下方変位する。
【００３５】
この状態で前面枠２を図１４（ｂ）矢印に示す閉鎖方向に回動すると、図１２および図１３に示すように前面枠２の後面により前記押え片４０が押圧されることになるため、軸受片２５は上動を阻止されて下方変位した状態を維持し軸孔２６が支軸２３から外れることがなく、悪戯で軸受片２５を上動して支軸２３との係合を外されるような事態を完全に阻止することができる。しかも、万一軸受片２５が完全に下動していなくても前記押え片４０を押圧することにより該軸受片２５を強制的に下動させて確実に支軸２３と軸孔２６とを係合させ軸支することができる。このとき支軸２３は長孔状の軸孔２６の最も手前側で抱持されており、前後左右方向にもがたつくことはない。
【００３６】
また、前面枠２を開放した際に、誤って前面枠２を上動するようなことがあって軸受片２５を上動させても、上ヒンジ部３ａの支軸２３は軸孔２６に係合する方向に移動するため支軸２３と軸孔２６との連繋が外れることはなく、しかも軸受片２５の上動範囲が下ヒンジ部３ｂのヒンジ軸３６より小さいために下ヒンジ部３ｂの係合も外れることがなく、確実に前面枠２を開閉動作することができる。
【００３７】
また、前面枠２を機枠１から取外すには、前面枠２を機枠１に対して任意の角度に開放し、その開放状態を維持しながら軸受片２５を指で上動して支軸２３から軸孔２６を外すことによってヒンジ部３ａの連繋を解除して前面枠２を簡単に取外すことができる。
【００３８】
なお、上記した実施の形態において前面枠２側に支軸２３を設けて、他方の機枠１側に軸孔２６を形成した軸受片２５に設けるようにしたが、支軸２３および軸孔２６の関係を反対にしてもよく、図１７乃至図２３にその実施の形態を示す。前記実施の形態と大きく異なる点は支軸および軸孔の関係を反対にした点と前記軸受片を着脱自在とした点であるため、同じ構成要素には同一符号を付して説明する。機枠１に取付ける上部固定金具１９は、図１８に示すようにほぼ中央に開口４４が開設されると共にその前方にスリットにより複数の帯片４５が形成され、一部の帯片４５を除いて該帯片４５を湾曲して後方が開放する軸筒部４６を形成している。また、前記軸受片２５には前端に支軸としての軸片部４７を屈曲垂下し、その側方に位置して上動阻止手段である押え片４０を屈曲して水平状に設け、後端に前記軸筒部４６に噛み合う回動軸部４８が前方を開放して形成されている。前記軸片部４７は後述する軸孔としての軸筒孔４９のほぼ径に等しい幅員を有し、幅方向の側面先端がガイド手段として先細テーパー状のガイド面４７ａに形成されている。なお、前記軸受片２５の軸片部４７は厚さ方向に屈曲させてガイド手段としてもよい。また、当然のことながら前記軸片部４７を軸ピン状の支軸としてもよいのはいうまでもない。
【００３９】
そして、前記軸受片２５を上動自在に軸支させるには、先ず図２１（ａ）および（ｂ）に示すように軸受片２５の回動軸部４８を前記開口４４に臨ませる。そして、先ず図２１（ｃ）に示すように前記回動軸部４８をスライドさせて軸筒部４６と噛み合せることで同図鎖線の示すように該軸筒部４６および回動軸部４８を上動軸として軸受片２５を上動自在に軸支することができる。この際前記軸筒部４６を形成しない帯片４５により軸受片２５の下動が規制されてほぼ水平状態に支持される。なお、前記軸受片２５の上動軸支構造は上記実施の形態に限定されるものではなく、軸受片２５が上動自在に軸支されるものであればよく、軸棒を介挿して回動自在に装着する蝶番状としてもよい。
【００４０】
一方、前面枠２には図１８に示すように前記軸片部４７が嵌挿される軸孔としての筒状の軸筒孔４９が形成されると共に、前記押え片４０の上方に臨み軸受片２５の上動を阻止する阻止手段としての上動阻止片３３が形成される。該上動阻止片３３の下面はテーパー状に形成されている。
【００４１】
上記構成のヒンジ構造を連係するには、下部固定金具３５のヒンジ軸３６に下部可動金具３７の軸孔３８を上方から嵌合させて前面枠２の下部を機枠１に支持させる。そして、この状態で前面枠２の上部を水平移動して、図２２（ａ）および図２３（ａ）に示すように前記軸片部４７を軸筒孔４９の軸筒側面に当接させて図２３（ａ）鎖線および図２３（ａ）鎖線に示すように機枠１方向に押圧移動すると、軸片部４７のテーパー状のガイド面４７ａが接触することにより図２３（ａ）鎖線に示すように軸受片２５が上動する。そして、軸片部４７が上動しきって軸筒孔４９に導かれて図２２（ｂ）および図２３（ｂ）に示すように軸受片２５が自重により下動して軸片部４７が軸筒孔４９に嵌挿して前面枠２が機枠１に回動自在に装着される。このとき軸受片２５が自重により下動して軸片部４７が軸筒孔４９に嵌挿するため、軸受片２５を任意で外す操作をしない限り軸片部４７が軸筒孔４９から外れることがない。したがって、前面枠２が誤って外れて作業者が怪我をしたり前面枠２を破損したりすることがないため前面枠２を安心して開閉動作することができる。
【００４２】
そして、図２２（ｂ）鎖線に示すように前面枠２を閉じる方向に回動すると前記上動阻止片３３が押え片４０の上方に重合するように臨み、該軸受片２５の上方への変位を阻止し下方変位した状態を維持する。このため、軸片部４７が軸筒孔４９から外れる抜脱方向への移動が確実に規制され、前面枠２を閉鎖した状態においては図２０に示すように軸受片２５が上動することがないのでヒンジ部３ａの連係が外れることがなく、遊技者に悪戯または不正目的でヒンジ部３ａの連係を外されることはない。
【００４３】
また、装着した前面枠２を機枠１から取外すには、前面枠２を前記上動阻止片３３が押え片４０の重合状態から外れた状態で機枠１に対して任意の角度に開放し、手で軸受片２５を操作して図２３（ｂ）鎖線に示すように軸筒部４６を回動軸として軸受片２５を上動させ、軸片部４７を軸筒孔４９から外すことで上ヒンジ部３ａの連繋を解除して前面枠２を簡単に取外すことができる。
【００４４】
以上本発明を図面を参照して実施の形態を説明したが、本発明は例示した形態に限定されるものではなく、その趣旨内において他の形態も可能であり以下に列挙する。まず、上記した実施の形態では軸受片２５を機枠１側に設けるヒンジ構造として説明したが、前面枠２側に軸受片２５を上下方向に変位自在に設けるようにしてもよい。なお、このとき前記実施の形態に示したように軸受片２５に支軸２３を設けるようにしても軸孔２６を設けるようにしてもよいのはいうまでもない。
【００４５】
また、前記軸受片２５の自重での下動を確実とするために、軸受片２５に重錘等を設けるようにして下動しやすくするのが好ましい。
【００４６】
また、上記した実施の形態において上ヒンジ部３ａのヒンジ構造として説明したが、本発明は上ヒンジ部３ａに限定されることなく、上下ヒンジ部３ａ，３ｂの少なくとも一方のヒンジ構造を上記実施の形態で示したヒンジ構造とすればよく、上下ヒンジ部３ａ，３ｂの両方を実施の形態で示したヒンジ構造としてもよい。つまり、前面枠２を水平移動することにより本発明の構造である上ヒンジ部３ａ（下ヒンジ３ｂ）を連繋するようにすればよい。例えば図２４に示すように前記最初に示した実施の形態の上下ヒンジ部３ａ，３ｂを上下入れ替えた構成として示す。なお、異なる点は軸受片２５を前面枠２側に設けた点と該軸受片２５の誘導部３９を側方に設けると共に下部下動金具３７をガイド片として切込孔２８を側方に向けて開口した点である。５０は下部固定金具３５に設けられた阻止手段としての上動阻止片である。まず、上ヒンジ部３ａのヒンジ軸３６と軸孔３８を連繋し、次に前面枠２の下方を水平移動して下ヒンジ部３ｂの支軸２３に切込孔２８の開口を位置させると共に軸受片２５の誘導部３９に当接させて押圧移動する。すると、前記支軸２３が軸受片２５の誘導部３９を押すことにより該軸受片２５が上動し、支軸２３が切込孔２８に沿って移動して軸孔２６に導かれる。そして、軸受片２５は支軸２３との接触を解かれると自重で下動し、軸孔２６が支軸２３に嵌挿して下ヒンジ部３ｂが連繋し、支軸２３およびヒンジ軸３６を支点として前面枠２が機枠１に開閉自在に軸支される。このとき、前面枠２には軸受片２５が上動可能な範囲の切り込みＫまたは空洞部が設けられる。そして、前面枠２を閉鎖方向に回動すると、前記軸受片２５の一部が前記上動阻止片５０の下方に臨むように位置して重合し、該軸受片２５の抜脱方向である上動を阻止し下方変位した状態を維持する。このため、係合した軸受片２５の軸孔２６が支軸２３から無用に外れることはない。なお、上下ヒンジ部３ａ，３ｂを前面枠２の上下端に設けるようにしたがこの位置に限定されるものではなく、前面枠２の中間位置に設けるようにしてもよい。
【００４７】
さらに、前記支軸２３は上記実施の形態に示した形状および長さに限定されるものではなく、例えば多角形であっても中空状であってもよい。
【００４８】
また、前記支軸と軸孔とを係合する際に前記軸受片を上方に変位させるガイド手段を軸受片２５または支軸２３（軸片部４７）に設けるようにしたが、必ずしもそれらに設ける必要はなく、軸受片２５と接触することにより該軸受片２５を上方に変位させる突起または窪部等を別途設けるようにしてもよい。
【００４９】
また、上記した機枠１および前面枠２は、合成樹脂製に限らず木製又は金属板を抜き型や曲げ型当により形成したり、アルミニウム合金やマグネシウム合金等の軽合金により、ダイカスト鋳造又は射出成形（チクソーモールディング法）により形成して軽量で寸法精度の高いものとしてもよい。この場合、機枠１と前記上部固定金具１９を一体に形成するようにしてもよい。
【００５０】
また、上記した実施の形態では、前面枠２を合成樹脂製として支軸２３を前面枠２と一体に形成したものとして説明したが、支軸２３を突設した可動金具を別体に形成して該可動金具を前面枠２に取着するようにしてもよい。
【００５１】
なお、前記実施の形態において、機枠１を装着本体とし前面枠２を開閉体として装着するヒンジ構造として説明したが、例えば装着本体を前面枠２として開閉体を該前面枠２の裏面に装着される機構板１１として、機構板１１を前面枠２に着脱回動自在に装着するヒンジ部１２，１２を前述したヒンジ構造として機構板１１を水平移動することによりヒンジ部１２，１２が連繋するようにしてもよい。
【００５２】
また、実施の形態において遊技機の一例としてパチンコ遊技機について説明したが、本発明は、雀球遊技機，アレンジボール式遊技機，回胴式遊技機（スロット）等，他の遊技機に装着される前面枠等の開閉体のヒンジ部にも適用できることは言うまでもない。
【００５３】
さらに、本発明のヒンジ構造は遊技機に限られることなく、扉等の開閉体を装着本体に着脱回動自在に装着するものにも広く適用することができ、装着本体の一側に開閉体の一側を支軸と軸孔との係合によりヒンジすることで該開閉体を開閉可能に支持するヒンジ構造であって、前記開閉体または装着本体のいずれか一方に支軸または軸孔を設け、他方には前記支軸または軸孔が係合し得る軸孔または支軸を設けた軸受片を上下方向に変位自在に設け、前記軸受片が下方変位した状態で前記支軸と軸孔とが係合するようにすればよい。好ましくは開閉体の閉鎖時に軸受片の上動を阻止する阻止手段を設けるのがよい。
【００５４】
【発明の効果】
以上説明したように、本発明に係るヒンジ構造は、支軸または軸孔を形成した軸受片を上下方向に変位自在に設けるようにしたので、前面枠を開放した状態で該前面枠を水平移動するだけの簡単な作業で前面枠を持ち上げることなく支軸と軸孔とを係合して前面枠を機枠に開閉自在に簡単に軸支することができ、前面枠の装着時に前面枠が誤って外れて作業者が怪我をしたり前面枠を破損したりすることがない。
【００５５】
また、前面枠を閉鎖したときに軸受片の上動を阻止する規制手段を設けるようにしたので、悪戯に軸受片を上動して支軸と軸孔との係合を解除されることはない。さらに、構造が極めて簡単で製作コストを格段に安くすることができる等の効果を奏する。
【図面の簡単な説明】
【図１】
パチンコ遊技機の正面図である。
【図２】
前面枠を開放して示すパチンコ遊技機の斜視図である。
【図３】
機枠と前面枠の上ヒンジ部の軸支状態を示す斜視図である。
【図４】
上ヒンジ部の分解斜視図である。
【図５】
機枠と前面枠の下ヒンジ部の軸支状態を示す斜視図である。
【図６】
機枠に前面枠を軸支した状態の平面図である。
【図７】
上ヒンジ部の要部断面図である。
【図８】
（ａ），（ｂ）は機枠に前面枠を軸支する作用説明図である。
【図９】（ａ），（ｂ）は機枠に前面枠を軸支する作用説明図である。
【図１０】他の実施の形態の軸受片の軸支状態を示す斜視図である。
【図１１】図１０の分解斜視図である。
【図１２】図１０の平面図である。
【図１３】図１０の要部断面図である。
【図１４】（ａ），（ｂ）は作用説明図である。
【図１５】（ａ），（ｂ）は作用説明図である。
【図１６】他の実施の形態の軸支状態を示す斜視図である。
【図１７】他の実施の形態の軸受片の軸支状態を示す斜視図である。
【図１８】図１７の分解斜視図である。
【図１９】図１７の平面図である。
【図２０】図１７の要部断面図である。
【図２１】（ａ）〜（ｃ）は軸受片の連係を示す説明図である。
【図２２】（ａ），（ｂ）は作用説明図である。
【図２３】（ａ），（ｂ）は作用説明図である。
【図２４】他の実施の形態の機枠と前面枠の軸支状態を示す分解斜視図である。
【符号の説明】
１　　　　　　　機枠（装着本体）
２　　　　　　　前面枠（開閉体，装着本体）
３ａ　　　　　　上ヒンジ部
３ｂ　　　　　　下ヒンジ部
１１　　　　　　機構板（開閉体）
１２　　　　　　ヒンジ具
２３　　　　　　支軸
２３ａ　　　　　ガイド面（ガイド手段）
２４　　　　　　上動軸
２５　　　　　　軸受片
２６　　　　　　軸孔
２７　　　　　　ガイド片（誘導手段）
３３　　　　　　上動阻止片（阻止手段）
３６　　　　　　ヒンジ軸
３８　　　　　　軸孔
３９　　　　　　誘導部（ガイド手段）
４０　　　　　　押え片（阻止手段）
４１　　　　　　凹溝（誘導手段）
４２　　　　　　筒状軸
４６　　　　　　軸筒部
４７　　　　　　軸片部（支軸）
４７ａ　　　　　ガイド面（ガイド手段）
４８　　　　　　回動軸部
４９　　　　　　軸筒孔（軸孔）
【図１】
2004008265.tif 000003
【図２】
2004008265.tif 000004
【図３】
2004008265.tif 000005
【図４】
2004008265.tif 000006
【図５】
2004008265.tif 000007
【図６】
2004008265.tif 000008
【図７】
2004008265.tif 000009
【図８】
2004008265.tif 000010
【図９】
2004008265.tif 000011
【図１０】
2004008265.tif 000012
【図１１】
2004008265.tif 000013
【図１２】
2004008265.tif 000014
【図１３】
2004008265.tif 000015
【図１４】
2004008265.tif 000016
【図１５】
2004008265.tif 000017
【図１６】
2004008265.tif 000018
【図１７】
2004008265.tif 000019
【図１８】
2004008265.tif 000020
【図１９】
2004008265.tif 000021
【図２０】
2004008265.tif 000022
【図２１】
2004008265.tif 000023
【図２２】
2004008265.tif 000024
【図２３】
2004008265.tif 000025
【図２４】
2004008265.tif 000026